(57)【特許請求の範囲】
【請求項１】
下側の屋根葺き材の表面側に上側の屋根葺き材の下部が重なるように複数の屋根葺き材を屋根面に並べた屋根において、下側の屋根葺き材と上側の屋根葺き材との重なり部分で屋根葺き材裏面の辺縁に一定間隔で点在する複数の矩形状スペーサを設け、屋根葺き材の裏面側空間が相互に連通するとともに、屋外空間とも連通するようにし、屋根葺き材裏面の空気層が全方位に流通可能な空間域を形成するようにしたことを特徴とする屋根。
【発明の詳細な説明】
【０００１】
【発明の属する技術分野】
本発明は、下側の屋根葺き材の表面側に上側の屋根葺き材の下部が重なるように複数の屋根葺き材を屋根面に並べた屋根に関するものである。
【０００２】
【従来の技術】
従来、スレート等の屋根葺き材を使用した屋根では、屋根葺き材の裏側に雨水等が入るのを防ぐために、図７に示すように、下側の屋根葺き材と上側の屋根葺き材との重なり部分に隙間を設けない構造とするのが一般的である。図の１は屋根葺き材、７は屋根葺き材の固定ねじ、８は下地材である。
【０００３】
【発明が解決しようとする課題】
上記従来の構造は、屋根葺き材１の裏面上端部が直接下地材８に接しているので、日射等によって熱せられた屋根葺き材１の熱が建物に伝わりやすく、日照時に建物内部が高温になると共に、屋根葺き材１の裏側空間が密閉された状態となっているので、建物に蓄えられた熱が外部に放出されにくく、日没後もなかなか室温が下がらないという問題があった。
【０００４】
また、上記従来の構造は、通常の雨では屋根葺き材の裏側に雨水が入ることがなくても、台風等の暴風雨のときには毛細管現象や風圧によって屋根葺き材１の裏側に水が浸入することがある。その場合、浸入した水が屋根葺き材１の裏側の密閉された空間から外に排出されるのに相当の時間がかかるため、その間に水が下地材に浸透し、下地材８が腐朽したり、ときには雨漏りなったりするおそれがある。
【０００５】
このように、屋根葺き材の裏面空間が密閉された状態となっている従来構造の屋根には多くの問題点があり、これに対する有効な対策が求められている。そこで、本発明は次のような対策を講じた。
【０００６】
【課題を解決するための手段】
すなわち、本発明にかかる屋根は、下側の屋根葺き材の表面側に上側の屋根葺き材の下部が重なるように複数の屋根葺き材を屋根面に並べた屋根において、下側の屋根葺き材と上側の屋根葺き材との重なり部分で屋根葺き材裏面の辺縁に一定間隔で点在する複数の矩形状スペーサを設け、屋根葺き材の裏面側空間が相互に連通するとともに、屋外空間とも連通するようにし、屋根葺き材裏面の空気層が全方位に流通可能な空間域を形成するようにしたことを特徴としている。
【０００７】
この構造であると、通常の微風時には、或る隙間から屋根葺き材の裏側の空間に入り、別の隙間から外へと抜ける空気の流れが生じ、この空気の流れによって屋根葺き材や建物に蓄えられている熱が外部に放出される。台風等の強風時には、屋根面にかかる風圧がほぼ同じとなるので、屋根葺き材の裏側の空間に空気の流れが生じず、該空間内へ雨水が浸入しない。
【０００８】
【発明の実施の形態】
以下、本発明の好ましい実施の形態を図面に基づき説明する。
図１及び図２に本発明にかかる屋根に使用する屋根葺き材の一例を示す。この屋根葺き材１は、長方形の板状で、長手方向の一端部は表面側が段状に切除されて肉厚が他の部分の１／２に成形された右重ね合わせ部２となり、他端部は裏面側が段状に切除されて肉厚が他の部分の１／２に成形された左重ね合わせ部３となっている。また、裏面には、両長辺縁４，５に沿って複数の点状のスペーサ６が等間隔で設けられている。一方の長辺縁４のスペーサ６は縁に接する位置に設けられ、他方の長片縁５のスペーサ６は縁よりも若干内側の位置に設けられている。
【０００９】
図３及び図４は上記屋根葺き材で葺いた屋根を表している。屋根葺きの方法について説明すると、屋根葺き材１を長辺縁４が上側にくるようし、該屋根葺き材の右重ね合わせ部２の表面側に左重ね合わせ部３が重なり、かつ下側の屋根葺き材１の上部表面に上側の屋根葺き材１の下部裏面が重なるように千鳥状に並べ、各屋根葺き材１を固定ねじ７によって屋根の下地材８に固定する。
【００１０】
上記のように葺いた屋根では、屋根葺き材１は長辺縁４のスペーサ６で下地材８に接し、屋根葺き材１と下地材８との間にスペーサ６の高さ分の連通部１０が形成される。また、下側の屋根葺き材１の表面側に上側の屋根葺き材１が長辺縁５のスペーサ６で接し、両屋根葺き材１，１の間にスペーサ６の高さ分の隙間１１が形成される。これにより、屋根葺き材１の裏側に屋根面に沿って連通する空間１２が形成されている。この空間１２は隙間１１を介して外部に通じている。なお、最下段の屋根葺き材１の下部は、下地材８に固定した枕１３によって裏面側が支持される。
【００１１】
通常、屋外で無風の状態に感じられても、実際には風速２〜３ｍ程度の微風が吹いているものである。この風は、位置的にも時間的にも風向きや風圧が一定ではない。例えば、図５は屋根に当たる風の一瞬の状態を表している。図において、矢印の方向は風向きを示し、矢印の大きさは風圧を示している。大きい風圧を受ける位置にある隙間１１Ａ，１１Ｂから外気が空間１２内に入り、風圧の小さい位置にある隙間１１Ｄ，１１Ｅから空間１２内の空気が外部に出る。内外で気圧の差がない隙間１１Ｃからは空気の出入りがない。
【００１２】
上記空間１２を通る空気の流れによって、日照等により熱くなった屋根葺き材１の熱が外部に放出される。また、屋根葺き材１はスペーサ６を介して下地材９に接するので、屋根葺き材１の熱が建物に伝わりにくい。これらのことから、日照時における建物内部の室温の上昇が抑えられる。上記空気の流れは日照時に限らず夜間も行われ、昼間に建物に蓄えられた熱が日没後急速に外部に放出される。
【００１３】
また、台風等の強風時には、図６に示すように、屋根面の各部にかかる風圧はほぼ一定になる。このため、各隙間１１ごとの気圧の内外差が同じになり、空間部１２を通る空気の流れが生じなくなる。つまり、空間１２は外部と遮断された一つの独立空間となるのである。このため、屋根に強い雨が降りかかっていたとしても、その雨水が屋根葺き材１の裏側に浸入せず、下地材の腐朽や雨漏りが生じない。降雨終了後には、空間１２内の湿気は迅速に外部に排出される。
【００１４】
【発明の効果】
以上に説明した如く、本発明にかかる屋根は、下側の屋根葺き材と上側の屋根葺き材との重なり部分に形成された隙間を通じて屋根葺き材の裏側の空間に空気が出入りし、この空気の流れによって屋根葺き材の熱や建物に蓄えられている熱が効率的に外部に放出されるので、夏期等に建物内部の温度上昇を抑えられ、快適な室内環境が得られるものとなった。また、台風等の強風時に屋根葺き材の裏側の空間に雨水が浸入せず、しかも屋根葺き材の裏側の空間から湿気が迅速に排出されるので、耐久性の面からも優れている。
【図面の簡単な説明】
【図１】屋根葺き材の（ａ）正面図、及び（ｂ）底面図である。
【図２】屋根葺き材の表面側斜視図である。
【図３】本発明による屋根の側面断面図である。
【図４】図３におけるＡ矢視図である。
【図５】微風時における空気の流れを示す図である。
【図６】強風時における空気の流れを示す図である。
【図７】従来構造の屋根の側面断面図である。
【符号の説明】
１  屋根葺き材
６  スペーサ
８  固定ねじ
１０  連通部
１１  隙間
１２  空間部
【図１】
0003577662.tif 000002
【図２】
0003577662.tif 000003
【図３】
0003577662.tif 000004
【図４】
0003577662.tif 000005
【図５】
0003577662.tif 000006
【図６】
0003577662.tif 000007
【図７】
0003577662.tif 000008